(57)【特許請求の範囲】
【請求項１】
ランプ口金（３）のランプ軸（Ｔ）の回りに突出した４本のランプピン（２）を挿入させ、前記ランプ軸（Ｔ）を中心に回動して、前記ランプピン（２）を４個の導電部材（１ａ〜１ｄ）に個別に接触させランプ装着を行なうランプソケットであって、
前記導電部材（１ａ〜１ｄ）は、いずれも一対の側片（２０ａ、２０ｃ）と前記一対の側片（２０ａ、２０ｃ）間を連結する中央片（２０ｂ）からなる略コ字形であり、前記一対の側片（２０ａ、２０ｃ）の前記中央片（２０ｂ）に隣接する端部よりそれぞれ外方に延出してその間に前記ランプピン（２）を挟持する一対の挟持片（２１ａ、２１ｂ）を有し、
前記導電部材（１ａ〜１ｄ）のうちの一対（１ａ、１ｃ）は、前記一対の側片（２０ａ、２０ｃ）の一方の側片（２０ｃ）の前記中央片（２０ｂ）と反対側の端部より前記中央片（２０ｂ）と反対向きに延出する導電片（２０ｄ）と、この導電片（２０ｄ）の前記一対の挟持片（２１ａ、２１ｂ）と反対側の端部より前記中央片（２０ｂ）側に折曲された板部（２４）とを有し、前記板部（２４）に電線挿入部（２５）と鎖錠片（２６）を形成したものであり、ランプ装着時の前記ランプ軸（Ｔ）に対して点対称となるように配置され、かつ、前記一対の挟持片（２１ａ、２１ｂ）が前記ランプ軸（Ｔ）を中心とする前記ランプピン（２）の回動軌跡に沿うとともに前記導電片（２０ｄ）が前記中央片（２０ｂ）よりも前記ランプ軸（Ｔ）から離れるように配置され、
前記導電部材（１ａ〜１ｄ）のうちの他の一対（１ｂ、１ｄ）は、前記一対の側片（２０ａ、２０ｃ）の他方の側片（２０ａ）の前記中央片（２０ｂ）と反対側の端部より前記中央片（２０ｂ）と反対向きに延出する導電片と、この導電片の前記一対の挟持片（２１ａ、２１ｂ）と反対側の端部より前記中央片（２０ｂ）側に折曲された板部とを有し、前記板部に電線挿入部（２５）と鎖錠片（２６）を形成したものであり、ランプ装着時の前記ランプ軸（Ｔ）に対して点対称となるように前記一対の導電部材（１ａ、１ｃ）の間に配置され、かつ、前記一対の挟持片（２１ａ、２１ｂ）が前記ランプ軸（Ｔ）を中心とする前記ランプピン（２）の回動軌跡に沿うとともに前記導電片が前記中央片（２０ｂ）よりも前記ランプ軸（Ｔ）から離れるように配置されることを特徴とするランプソケット。
【請求項２】
前記電線挿入部は前記板部の端部中央に配置され、ランプ装着状態のランプピンの並び方向の一方に揃う請求項１記載のランプソケット。
【請求項３】
前記導電部材は前記ランプ軸に対して点対称に配置される一対と他の一対との配置角度が異なる請求項１記載のランプソケット。
【請求項４】
前記導電部材の前記コ字形の向き方向の角度が前記ランプ口金の長手方向およびランプピンの突出方向の双方に垂直な方向に対して、前記一対の導電部材について約４５度に傾け、前記他の一対の導電部材について約２６度に傾けて配置されている請求項３記載のランプソケット。
【請求項５】
前記一対の導電部材と前記他の一対の導電部材の相互間で、ランプピン保持位置の相互間距離と、電線挿入位置の相互間距離が異なる請求項３記載のランプソケット。
【請求項６】
前記導電片が延出する前記側片に前記鎖錠片の電線解除治具または電線の挿入による過変形を防止するストッパを設けた請求項１記載のランプソケット。
【請求項７】
請求項１、請求項２、請求項３、請求項４、請求項５または請求項６記載のランプソケットを有する照明器具。
【発明の詳細な説明】
【０００１】
【発明の属する技術分野】
この発明は、ランプソケットおよび照明器具に関するものである。
【０００２】
【従来の技術】
従来のコンパクト型蛍光灯用ソケットは、ランプピンの接触が突き合わせタイプであり、ランプ装着状態のランプピン位置と導電部材の位置とがそろっていないため、バランスが悪く接触が不安定であった。
【０００３】
また、ランプピンを挾み込む接触する接触方式は、ランプピンとの接触は安定であるが、導電部材とこれに設けた速結端子の電線解除穴の配置のため、大きさに余裕のあるランプソケットに用いられてきた。
【０００４】
【発明が解決しようとする課題】
したがって、この発明の目的は、ランプピンの接触を安定させるため、ランプピンを挾み込んで保持する導電部材を有するもので小型化可能なランプソケットおよび照明器具を提供することである。
【０００５】
【課題を解決するための手段】
請求項１記載のランプソケットは、ランプ口金（３）のランプ軸（Ｔ）の回りに突出した４本のランプピン（２）を挿入させ、前記ランプ軸（Ｔ）を中心に回動して、前記ランプピン（２）を４個の導電部材（１ａ〜１ｄ）に個別に接触させランプ装着を行なうランプソケットであって、
前記導電部材（１ａ〜１ｄ）は、いずれも一対の側片（２０ａ、２０ｃ）と前記一対の側片（２０ａ、２０ｃ）間を連結する中央片（２０ｂ）からなる略コ字形であり、前記一対の側片（２０ａ、２０ｃ）の前記中央片（２０ｂ）に隣接する端部よりそれぞれ外方に延出してその間に前記ランプピン（２）を挟持する一対の挟持片（２１ａ、２１ｂ）を有し、
前記導電部材（１ａ〜１ｄ）のうちの一対（１ａ、１ｃ）は、前記一対の側片（２０ａ、２０ｃ）の一方の側片（２０ｃ）の前記中央片（２０ｂ）と反対側の端部より前記中央片（２０ｂ）と反対向きに延出する導電片（２０ｄ）と、この導電片（２０ｄ）の前記一対の挟持片（２１ａ、２１ｂ）と反対側の端部より前記中央片（２０ｂ）側に折曲された板部（２４）とを有し、前記板部（２４）に電線挿入部（２５）と鎖錠片（２６）を形成したものであり、ランプ装着時の前記ランプ軸（Ｔ）に対して点対称となるように配置され、かつ、前記一対の挟持片（２１ａ、２１ｂ）が前記ランプ軸（Ｔ）を中心とする前記ランプピン（２）の回動軌跡に沿うとともに前記導電片（２０ｄ）が前記中央片（２０ｂ）よりも前記ランプ軸（Ｔ）から離れるように配置され、
前記導電部材（１ａ〜１ｄ）のうちの他の一対（１ｂ、１ｄ）は、前記一対の側片（２０ａ、２０ｃ）の他方の側片（２０ａ）の前記中央片（２０ｂ）と反対側の端部より前記中央片（２０ｂ）と反対向きに延出する導電片と、この導電片の前記一対の挟持片（２１ａ、２１ｂ）と反対側の端部より前記中央片（２０ｂ）側に折曲された板部とを有し、前記板部に電線挿入部（２５）と鎖錠片（２６）を形成したものであり、ランプ装着時の前記ランプ軸（Ｔ）に対して点対称となるように前記一対の導電部材（１ａ、１ｃ）の間に配置され、かつ、前記一対の挟持片（２１ａ、２１ｂ）が前記ランプ軸（Ｔ）を中心とする前記ランプピン（２）の回動軌跡に沿うとともに前記導電片が前記中央片（２０ｂ）よりも前記ランプ軸（Ｔ）から離れるように配置されることを特徴とするものである。
【０００６】
請求項１記載のランプソケットによれば、ランプピンの接触を挾み込み式に変えながらも、従来の突き合わせ式のランプソケットと同等の大きさにすることが可能になる。
【０００７】
請求項２記載のランプソケットは、請求項１において、前記電線挿入部は前記板部の端部中央に配置され、ランプ装着状態のランプピンの並び方向の一方に揃うものである。
【０００８】
請求項２記載のランプソケットによれば、請求項１と同様な効果のほか、ランプ取付時のランプとランプソケットとを平行にすることができるので、外観が良化し、器具の設計が容易になる。
【０００９】
請求項３記載のランプソケットは、請求項１において、前記導電部材が前記ランプ軸に対して点対称に配置される一対と他の一対との配置角度が異なるものである。
【００１０】
請求項３記載のランプソケットによれば、請求項１と同様な効果のほか、ランプソケットの導電部材収納部を小さくできるため、器具のソケット取付部を小さくでき照明器具の小型化が可能となる。
【００１１】
請求項４記載のランプソケットは、請求項３において、前記導電部材の前記コ字形の向き方向の角度が前記ランプ口金の長手方向およびランプピンの突出方向の双方に垂直な方向に対して、前記一対の導電部材について約４５度に傾け、前記他の一対の導電部材について約２６度に傾けて配置されているものである。
【００１２】
請求項４記載のランプソケットによれば、請求項３と同様な効果のほか、ランプ装着後のランプピンの保持がバランスよくでき、しかも導電部材の収納スペースが最小になる。
【００１３】
請求項５記載のランプソケットは、請求項１において、前記一対の導電部材と前記他の一対の導電部材の相互間で、ランプピン保持位置の相互間距離と、電線挿入位置の相互間距離が異なるものである。
【００１４】
請求項５記載のランプソケットによれば、請求項１と同様な効果のほか、電線がランプピンから離れるので、電線がランプピンの熱影響を受けにくい。
【００１５】
請求項６記載のランプソケットは、請求項１において、前記導電片が延出する前記側片に前記鎖錠片の電線解除治具または電線の挿入による過変形を防止するストッパを設けたものである。
【００１６】
請求項６記載のランプソケットによれば、請求項１と同様な効果のほか、導電部材に速結端子の過変形防止ストッパ部を設けたため、速結端子が電線解除治具または電線の挿入によってある程度以上変形したときに当接して過変形を防止するので、端子の接続信頼性が向上する。
【００１７】
請求項７記載の照明器具は、請求項１、請求項２、請求項３、請求項４、請求項５または請求項６記載のランプソケットを有するものである。
【００１８】
請求項７記載の照明器具によれば、請求項１、請求項２、請求項３、請求項４、請求項５または請求項６と同様な効果がある。
【００１９】
【発明の実施の形態】
この発明の一実施の形態を図１から図１１により説明する。すなわち、このランプソケットは、例えばコンパクト型蛍光灯用ソケットを設けた蛍光灯器具などの照明器具に適用される。
【００２０】
図１は、ランプソケットの底面を示し、カバー１３を外して底面開口１３ａより導電部材１ａ〜１ｄを露出した状態である。このランプソケットは、ランプ口金３より突出したランプピン２をソケット前面より挿入し、ランプ口金３をランプ軸Ｔを中心に矢印の方向に回動してランプピン２を導電部材１ａ〜１ｄに接触させランプ装着を行なうものである。導電部材１ａ〜１ｄはランプピン２を挾み込んで保持する略コ字形であり、導電部材１ａ〜１ｄのコ字形の向きがランプピン２の回動方向に対して２種類になっている。各導電部材１ａ〜１ｄには端子例えば速結端子４が設けられている。導電部材１ａ、１ｃはコ字形の開口の向きに対して一側（左側）に速結端子４を一体に有するのに対して、導電部材１ｂ、１ｄは速結端子４を他側（右側）に有する。また導電部材１ｂ、１ｄの方が導電部材１ａ、１ｃよりも導電部材のコ字形部分に対して速結端子４が開口側にずれて位置している。そして導電部材１ａ〜１ｄのコ字形の開口方向を周方向に沿うように略円周上に並べ、このとき導電部材１ａ、１ｂのコ字形の開口が互いに向き合い、導電部材１ｃ、１ｄのコ字形の開口が互いに向き合うように配置している。３０はランプソケットの導電部材収納部である。
【００２１】
図２はランプソケットの前面側を示す平面図である。ランプソケットの前面部に設けた周壁５内の底部に例えば円弧状の長孔などのランプピン挿入穴６が周方向に４個並び、これらにランプソケット内の導電部材１ａ〜１ｄが臨んでいる。図２（ａ）はランプピン口金３を周壁５の内側に挿入した状態であり、ランプピン２は位置Ａにある。図２（ｂ）は図２（ａ）からランプ口金３をランプ軸Ｔのまわりに約３０度回動した状態である。このとき、ランプピン２が回動して位置Ｂとなり、導電部材１ａ〜１ｄの全てに接触し挟持される。なお、７はＬ字形の取付溝であり、ランプ口金３の側面に設けた突起をこの取付溝７に挿入し図２（ｂ）のように回動することによって抜止めする。８はランプソケットの取付穴である。
【００２２】
図３は上記のランプソケット１１にランプ例えば蛍光灯ランプ１０を装着した斜視図である。
【００２３】
図４は図３の分解斜視図である。ランプソケット１１は樹脂製のソケット本体１２と、ソケット本体１２の底面開口を閉塞する樹脂製のカバー１３と、導電部材１ａ〜１ｄからなる。導電部材１ａ〜１ｄを底面開口１３ａよりソケット本体１２の導電部材収納部３０内に収納し、カバー１３で底面開口１３ａを閉塞して導電部材１ａ〜１ｄを押え固定する。１４はカバー１３の係止爪で、ソケット本体１２の係止孔１５に係止してカバー１３をソケット本体１２に取付ける。カバー１３には速結端子４に電線を接続する電線挿入孔１８および速結端子４の接続を解除するための電線解除穴１９をそれぞれ形成している。１６はランプ固定ばねであり、ソケット本体１２のＬ字形の取付溝７の内端部に取付け、ランプ口金３の側面に設けた突起１７が取付溝７に挿入され回動することによって固定ばね１６に弾性係止する。
【００２４】
図５は例えば導電部材１ａの構成を示す斜視図である。導電部材１ａは速結端子４を有し、この速結端子４の電線挿入部２５は略長方形板部２４の端部中央に配置され、図６に示すようにランプ装着状態のランプピンの位置に整列するように並ぶ構成である。導電板を片２０ａ〜２０ｅからなる略Ｓ字形に折曲し、その相対向する片２０ａ、２０ｃの側部より相対向する挟持片２１ａ、２１ｂを同じ方向に延出し、その先端および側部をそれぞれ互いに反り返るように湾曲してランプピン２の挿入をガイドする先端ガイド部２２ａ、側部ガイド部２２ｂを形成している。また片２０ｄより挟持片２１ａ、２１ｂと反対側端部から片２０ｄよりも広幅の略長方形板部２４を折曲し、これに電線挿入部２５（図１参照）を形成するとともに、先端部を折り返して電線挿入部２５に対向する鎖錠片２６を形成している。このようにして、導電部材１ａの挟持片２１ａ、２１ｂと速結端子４とのつなぎ部である片２０ｃに速結端子４の鎖錠片２６の過変形を防止するストッパ２７を設けている。すなわち、鎖錠片２６に対向する片２０ｃの端部にストッパ２７を切欠状に形成し、鎖錠片２６の動きの邪魔にならないようにするとともに鎖錠片２６の過変形を防止する。導電部材１ｃは導電部材１ａと同様であり、導電部材１ｂ、１ｄは速結端子４が導電部材１ａ、１ｃと対称となる位置に設けられている。
【００２５】
図６はランプソケットのカバー１３を取付けた状態の底面図である。図のようにランプ口金３をランプソケットに挿入しかつ回動した後のランプピン保持位置Ｂは電線挿入穴１８と並んでおり、一対のランプピンの並び方向の一方の直線上に電線挿入穴１８が揃うように位置する。この場合、一対の導電部材１ａ、１ｃと他の一対の導電部材１ｂ、１ｄの相互間で、ランプピン保持位置Ｂの相互間距離Ｌ１と、電線挿入位置すなわち電線挿入穴１８の相互間距離Ｌ２が異なる。この結果、ランプ口金３の長手方向すなわち突起１７の突出する方向（図４）とソケット本体１２の長手方向とが平行となり外観が良好になる。また電線挿入穴１８を通して接続された電線がランプピン２の熱影響を受けない。
【００２６】
図７は図１と同様であるが、導電部材１ａ、１ｂと導電部材１ｃ、１ｄのランプ軸（ランプピンの突出方向）Ｔに直交しかつランプ口金３の長手方向（突起の突出方向）に直交する軸Ｐ対して傾斜する配置角度Ｑ１、Ｑ２を示すものである。すなわち、導電部材１ａ〜１ｄはランプ軸に対して点対称に配置される一対の導電部材１ａ、１ｃの配置角度Ｑ１と他の一対の導電部材１ｂ、１ｄとの配置角度Ｑ２が互いに異なる。実施の形態では、導電部材１ａ、１ｃのコ字形の向き方向の角度が、ランプ口金３の長手方向およびランプピンの突出方向（ランプ軸方向）の双方に垂直な方向すなわち軸Ｐに対して、一対の導電部材１ａ、１ｃについて角度Ｑ１として約４５度に傾け、他の一対の導電部材１ｂ、１ｄについて角度Ｑ２として約２６度に傾けて配置されている。また約２６度傾けて配置した導電部材１ｂ、１ｄにおける速結端子４の中心とランプピン保持部である一対の挟持片２１ａ、２１ｂ間の中心との距離Ｍ２は、同じく約４５度傾けて配置した導電部材１ａ、１ｃの距離Ｍ１よりも狭くなる。
【００２７】
図８は電線解除治具３１で鎖錠片２６を解除する際の鎖錠片２６の過変形の防止を示すものである。電線解除治具３１で鎖錠片２６を押し開くと図５で説明したように、鎖錠片２６が切欠状のストッパ２７内に進入して電線の解除が可能となり、一方押し過ぎると鎖錠片２６がストッパ２７に当たりそれ以上の変形を防止され、その結果過変形が防止される。また電線を挿入することによって鎖錠片２６が過変形することがあってもストッパ２７によって防止される。
【００２８】
図９は壁付照明器具を示し、壁３５に器具本体３６を取付け、器具本体３６に設けたランプソケット３７にランプ３８を装着し、器具本体３６に取付けるグローブ３９でランプ３８を被覆する。４０はパッキンである。
【００２９】
図１０は、図（ａ）のように、この実施の形態（図１で説明）の導電部材１ａ〜１ｄのコ字形の向きが２種類のランプソケットと、図（ｂ）のようにコ字形の導電部材１ａ′〜１ｄ′の全て同じものを円周方向に同方向に向けて円周上に並べたランプソケットとの収容スペースの幅の比較を示す。図から明らかなように図（ａ）は導電部材１ａ〜１ｄが幅寸法Ｈ内にあるのに対して、図（ｂ）は導電部材１ｂ′、１ｄ′の速結端子４が幅寸法Ｈからはみ出している。また図（ｂ）は導電部材１ａ′、１ｂ′の相互および導電部材１ｃ′、１ｄ′の相互がそれぞれ接近しすぎており、絶縁距離が確保できないが、図（ａ）は絶縁距離を確保できる距離に隔てられる。また長孔状の電線解除穴１９（図６）に関して、図（ａ）はカバー１３の端部に電線挿入穴１８が位置しそれよりも中央寄りに電線解除穴１９が位置するのに対して、図（ｂ）は電線解除穴１９が電線挿入穴１８よりも外側に位置することとなるので、長孔状の電線解除穴１９は形成しにくく電線解除穴１９のスペースを確保できない。
【００３０】
図１１は速結端子４の構造を示し、略長方形板部２４は共通であるが、板部２４に対して設けられた鎖錠片２６が図（ｃ）では略Ｒ形に折曲したもの、図（ｄ）は切起こして電線挿入部を同時に形成したもの、図（ｅ）は切起こしまたは略Ｖに折曲したもの、図（ｆ）は略Ｕ字形に折曲したものである。なお図（ｂ）は導電部材が略Ｌ字形になったものでランプピン２の側面が当接して接触する例を開示する。
【００３１】
【発明の効果】
請求項１記載のランプソケットによれば、ランプピンの接触を挾み込み式に変えながらも、従来の突き合わせ式のランプソケットと同等の大きさにすることが可能になる。
【００３２】
請求項２記載のランプソケットによれば、請求項１と同様な効果のほか、ランプ取付時のランプとランプソケットとを平行にすることができるので、外観が良化し、器具の設計が容易になる。
【００３３】
請求項３記載のランプソケットによれば、請求項１と同様な効果のほか、ランプソケットの導電部材収納部を小さくできるため、器具のソケット取付部を小さくでき照明器具の小型化が可能となる。
【００３４】
請求項４記載のランプソケットによれば、請求項３と同様な効果のほか、ランプ装着後のランプピンの保持がバランスよくでき、しかも導電部材の収納スペースが最小になる。
【００３５】
請求項５記載のランプソケットによれば、請求項１と同様な効果のほか、電線がランプピンから離れるので、電線がランプピンの熱影響を受けにくい。
【００３６】
請求項６記載のランプソケットによれば、請求項２と同様な効果のほか、導電部材に速結端子の過変形防止ストッパ部を設けたため、速結端子が電線解除治具または電線の挿入によってある程度以上変形したときに当接して過変形を防止するので、端子の接続信頼性が向上する。
【００３７】
請求項７記載の照明器具によれば、請求項１、請求項２、請求項３、請求項４、請求項５または請求項６と同様な効果がある。
【図面の簡単な説明】
【図１】この発明の一実施の形態のカバーを外した状態のランプソケットの底面図である。
【図２】ランプソケットの平面図を示し、（ａ）はランプ口金を挿入した状態、（ｂ）はランプ口金を回動した状態である。
【図３】ランプソケットにランプを装着した状態の斜視図である。
【図４】分解斜視図である。
【図５】１つの導電部材の斜視図である。
【図６】電線挿入穴と装着状態のランプピンの位置の関係を示す底面図である。
【図７】導電部材の配置角度を説明する底面図である。
【図８】速結端子の鎖錠片の解錠動作のストッパ部を示す側面図である。
【図９】照明器具の分解斜視図である。
【図１０】（ａ）は２種類のコ字形の導電部材を配置したランプソケットの底面図、（ｂ）は全て同じコ字形の導電部材を周方向の同方向に向けて配置したランプソケットの底面図である。
【図１１】速結端子の各種の実施の形態を示すもので、（ａ）、（ｂ）は導電部材に設けた速結端子の斜視図、（ｃ）〜  （ｆ）は鎖錠片の構造を示す部分側面図である。
【符号の説明】
１ａ〜１ｄ    導電部材
２    ランプピン
３    ランプ口金
４    速結端子
Ｔ    ランプ軸
２４    長方形板部
２７    ストッパ
【図１】
0003788893.tif 000002
【図２】
0003788893.tif 000003
【図３】
0003788893.tif 000004
【図４】
0003788893.tif 000005
【図５】
0003788893.tif 000006
【図６】
0003788893.tif 000007
【図７】
0003788893.tif 000008
【図８】
0003788893.tif 000009
【図９】
0003788893.tif 000010
【図１０】
0003788893.tif 000011
【図１１】
0003788893.tif 000012